(57)【要約】【課題】  印刷回路基板で発生した熱は、ヒートスプレッダを通じて分散されるので、放熱が効率的に行われるディスプレイ装置を提供する。【解決手段】  本発明は、ディスプレイパネルと、ディスプレイパネルと対応する形状に形成されて、ディスプレイパネルの後面を支持する中間パネルと、中間パネルの後方側に配置された印刷回路基板と、中間パネルの後面に設置されるヒートスプレッダと、を含む。【選択図】      図１
2014032387.tif 000002
【特許請求の範囲】
【請求項１】
ディスプレイパネルと、
前記ディスプレイパネルの後面に配置されて、前記ディスプレイパネルを支持する中間パネルと、
一定の幅で長く延びた板状に形成されて、前記中間パネルの後面に配置される少なくとも一つのヒートスプレッダと、を含む、ディスプレイ装置。
【請求項２】
前記ディスプレイパネルは、有機発光ダイオードパネルで形成される、請求項１に記載のディスプレイ装置。
【請求項３】
少なくとも一つの前記ヒートスプレッダは、内部に注入される作動流体と、前記作動流体の案内のためにその内部に設けられた少なくとも一つのチャネルと、を含む、請求項１に記載のディスプレイ装置。
【請求項４】
前記チャネルは、前記ヒートスプレッダの長手方向に延び、複数個が前記ヒートスプレッダの幅方向に並設される、請求項３に記載のディスプレイ装置。
【請求項５】
少なくとも一つの前記ヒートスプレッダは、第１端が、相対的に高温な位置に配置され、前記第１端の反対側に位置した第２端が、相対的に低温な位置に配置される、請求項１に記載のディスプレイ装置。
【請求項６】
前記ヒートスプレッダは、前記第１端が、前記第２端より低い位置に配置される、請求項５に記載のディスプレイ装置。
【請求項７】
前記中間パネルの後面に配置される少なくとも一つの印刷回路基板と、前記少なくとも一つの印刷回路基板が設置されるホルダーとをさらに含み、
少なくとも一つの前記ヒートスプレッダは、前記第１端が前記ホルダー側に配置され、前記第２端が前記ホルダーと離隔した位置に配置される、請求項５に記載のディスプレイ装置。
【請求項８】
前記複数のヒートスプレッダの前記第１端は、前記中間パネルと前記ホルダーとの間に配置される、請求項７に記載のディスプレイ装置。
【請求項９】
少なくとも一つの前記ホルダーは、前記中間パネルの後面中央に配置され、
少なくとも一つの前記ヒートスプレッダは、左右に長く配置され、上下に互いに平行に離隔配置される複数のヒートスプレッダを含み、
複数の前記ヒートスプレッダのうち一部は、前記第１端が前記ホルダー側に配置され、前記第２端が前記中間パネルの後面右側に位置するように配置され、
複数の前記ヒートスプレッダの残りの一部は、前記第１端が前記ホルダー側に配置され、前記第２端が前記中間パネルの後面左側に位置するように配置される、請求項７に記載のディスプレイ装置。
【請求項１０】
前記複数のヒートスプレッダは、前記第２端が、前記第１端より高い位置に位置するように傾斜して配置される、請求項９に記載のディスプレイ装置。
【請求項１１】
前記中間パネルの上部及び下部のうち少なくともいずれか一つの後方側に、左右に長く配置されるソース印刷回路基板をさらに含み、
少なくとも一つの前記ヒートスプレッダは、左右に長く配置され、前記中間パネルと前記ソース印刷回路基板との間に配置される一つのヒートスプレッダを含む、請求項１に記載のディスプレイ装置。
【請求項１２】
前記中間パネルの下部後方側に左右に長く配置されるソース印刷回路基板をさらに含み、
少なくとも一つの前記ヒートスプレッダは、上下に長く配置され、左右方向に離隔配置された複数のヒートスプレッダを含み、
前記複数のヒートスプレッダの各下端は、前記中間パネルと前記ソース印刷回路基板との間に配置される、請求項１に記載のディスプレイ装置。
【請求項１３】
ディスプレイパネルと、
前記ディスプレイパネルの後面に配置されて、前記ディスプレイパネルを支持する中間パネルと、
前記中間パネルの後方側に配置される少なくとも一つの印刷回路基板と、
少なくとも一つの前記印刷回路基板が設置されるホルダーと、
前記中間パネルの後面に配置される複数のヒートスプレッダと、を含み、
前記複数のヒートスプレッダは、第１端が前記ホルダー側に配置され、前記第１端と反対側に位置した第２端が前記ホルダーから離隔した位置に配置されて、前記印刷回路基板で発生した熱を第１端側から第２端側に分散させる、ディスプレイ装置。
【請求項１４】
複数の前記ヒートスプレッダは、左右方向に長く配置され、上下に互いに平行に離隔配置される、請求項１３に記載のディスプレイ装置。
【請求項１５】
複数の前記ヒートスプレッダのうち一部は、前記第１端が前記ホルダー側に配置され、前記第２端が前記中間パネルの後面右側に位置するように配置され、
複数の前記ヒートスプレッダの残りの一部は、前記第１端が前記ホルダー側に配置され、前記第２端が前記中間パネルの後面左側に位置するように配置される、請求項１４に記載のディスプレイ装置。
【請求項１６】
前記複数のヒートスプレッダは、前記第２端が、前記第１端より高い位置に位置するように傾斜して配置される、請求項１５に記載のディスプレイ装置。
【発明の詳細な説明】
【技術分野】
【０００１】
印刷回路基板で発生した熱をより効率的に放熱することができるディスプレイ装置に関する。
【背景技術】
【０００２】
ディスプレイ装置は、画面に映像を表示する装置であって、代表的にＴＶ、コンピュータモニタなどがこれに該当する。
【０００３】
最近、薄型化、軽量化、及び低消費電力化を達成するために、陰極線管表示素子（Ｃａｔｈｏｄｅ−Ｒａｙ  Ｔｕｂｅ  Ｄｉｓｐｌａｙ  ｄｅｖｉｃｅ）を代替する平板ディスプレイ装置（Ｆｌａｔ  Ｐａｎｅｌ  Ｄｉｓｐｌａｙ  ｄｅｖｉｃｅ）の開発が進んでいる。
【０００４】
平板ディスプレイ装置（Ｆｌａｔ  Ｄｉｓｐｌａｙ  ｄｅｖｉｃｅ）は、発光型と受光型とに大別することができる。発光型としては、プラズマディスプレイパネル（Ｐｌａｓｍａ  Ｄｉｓｐｌａｙ  Ｐａｎｅｌ；ＰＤＰ）と有機発光ダイオード（Ｏｒｇａｎｉｃ  Ｌｉｇｈｔ  Ｅｍｉｔｔｉｎｇ  Ｄｉｏｄｅ；ＯＬＥＤ）などがある。受光型としては、液晶ディスプレイ（Ｌｉｑｕｉｄ  Ｃｒｙｓｔａｌ  Ｄｉｓｐｌａｙ；ＬＣＤ）がある。
【０００５】
このうち、有機発光ダイオードを用いたディスプレイ装置は、液晶ディスプレイ装置に比べて輝度特性及び視野角特性に優れ、バックライトユニットを必要としないので超薄型で具現することができるという長所がある。
【発明の概要】
【発明が解決しようとする課題】
【０００６】
本発明の一側面は、動作時に発生する熱をより効率的に分散させて、放熱効果を増加させることができるディスプレイ装置を提供する。
【課題を解決するための手段】
【０００７】
本発明の一実施例に係るディスプレイ装置は、ディスプレイパネルと、前記ディスプレイパネルの後面に配置されて、前記ディスプレイパネルを支持する中間パネルと、一定の幅で長く延びた板状に形成されて、前記中間パネルの後面に配置される少なくとも一つのヒートスプレッダと、を含む。
【０００８】
また、前記ディスプレイパネルは、有機発光ダイオードパネルで形成される。また、少なくとも一つの前記ヒートスプレッダは、内部に注入される作動流体と、前記作動流体の案内のためにその内部に設けられた少なくとも一つのチャネルと、を含む。また、前記チャネルは、前記ヒートスプレッダの長手方向に延び、複数個が前記ヒートスプレッダの幅方向に並設される。また、少なくとも一つの前記ヒートスプレッダは、第１端が、相対的に高温な位置に配置され、前記第１端の反対側に位置した第２端が、相対的に低温な位置に配置される。また、前記ヒートスプレッダは、前記第１端が、前記第２端より低い位置に配置される。
【０００９】
また、前記中間パネルの後面に配置される少なくとも一つの印刷回路基板と、前記少なくとも一つの印刷回路基板が設置されるホルダーとをさらに含み、少なくとも一つの前記ヒートスプレッダは、前記第１端が前記ホルダー側に配置され、前記第２端が前記ホルダーと離隔した位置に配置される。また、前記複数のヒートスプレッダの前記第１端は、前記中間パネルと前記ホルダーとの間に配置される。
【００１０】
また、少なくとも一つの前記ホルダーは、前記中間パネルの後面中央に配置され、少なくとも一つの前記ヒートスプレッダは、左右に長く配置され、上下に互いに平行に離隔配置される複数のヒートスプレッダを含み、複数の前記ヒートスプレッダのうち一部は、前記第１端が前記ホルダー側に配置され、前記第２端が前記中間パネルの後面右側に位置するように配置され、複数の前記ヒートスプレッダの残りの一部は、前記第１端が前記ホルダー側に配置され、前記第２端が前記中間パネルの後面左側に位置するように配置される。また、前記複数のヒートスプレッダは、前記第２端が、前記第１端より高い位置に位置するように傾斜して配置される。
【００１１】
また、前記中間パネルの上部及び下部のうち少なくともいずれか一つの後方側に、左右に長く配置されるソース印刷回路基板をさらに含み、少なくとも一つの前記ヒートスプレッダは、左右に長く配置され、前記中間パネルと前記ソース印刷回路基板との間に配置される一つのヒートスプレッダを含む。
【００１２】
また、前記中間パネルの下部後方側に左右に長く配置されるソース印刷回路基板をさらに含み、少なくとも一つの前記ヒートスプレッダは、上下に長く配置され、左右方向に離隔配置された複数のヒートスプレッダを含み、前記複数のヒートスプレッダの各下端は、前記中間パネルと前記ソース印刷回路基板との間に配置される。
【００１３】
また、本発明の一側面に係るディスプレイ装置は、ディスプレイパネルと、前記ディスプレイパネルの後面に配置されて、前記ディスプレイパネルを支持する中間パネルと、前記中間パネルの後方側に配置される少なくとも一つの印刷回路基板と、少なくとも一つの前記印刷回路基板が設置されるホルダーと、前記中間パネルの後面に配置される複数のヒートスプレッダと、を含み、前記複数のヒートスプレッダは、第１端が前記ホルダー側に配置され、前記第１端と反対側に位置した第２端が前記ホルダーから離隔した位置に配置されて、前記印刷回路基板で発生した熱を第１端側から第２端側に分散させる。
【発明の効果】
【００１４】
上述したように、印刷回路基板で発生した熱はヒートスプレッダを通じて分散されるので、印刷回路基板で発生した熱をより速く放熱できるようになる。
【図面の簡単な説明】
【００１５】
【図１】本発明の一実施例に係るディスプレイ装置の構成の分解斜視図である。
【図２】本発明の一実施例に係るディスプレイ装置に適用されたヒートスプレッダの断面図である。
【図３】本発明の一実施例に係るディスプレイ装置に適用されたヒートスプレッダの設置状態を示す背面図である。
【図４】本発明の一実施例に係るディスプレイ装置に適用されたヒートスプレッダの設置構造を示す部分拡大斜視図である。
【図５】本発明の他の一実施例に係るディスプレイ装置に適用されたヒートスプレッダの設置状態を示す背面図である。
【発明を実施するための形態】
【００１６】
以下では、本発明に係る実施例について添付の図面を参照して詳細に説明する。
【００１７】
図１に示すように、ディスプレイ装置１は、前面に露出するように配置され、映像が表示されるディスプレイパネル１０と、ディスプレイパネル１０の後方に配置され、ディスプレイ装置１の後方側の外観を形成するリアカバー７０と、を含む。
【００１８】
ディスプレイパネル１０は、有機発光ダイオードパネルからなり、映像が表示される活性領域（ａｃｔｉｖｅ  ａｒｅａ）と映像が表示されない非活性領域（ｉｎａｃｔｉｖｅ  ａｒｅａ）とに区分される。ディスプレイパネル１０の活性領域は、ガラス基板上に複数の薄膜トランジスタ（図示せず）が形成され、薄膜トランジスタ上には、画素を形成するための液晶層または有機物層が形成されており、薄膜トランジスタのオン／オフ制御を通じて映像が表示される。ディスプレイパネル１０とリアカバー７０との間には、ディスプレイパネル１０の後面を支持する中間パネル２０が配置される。
【００１９】
中間パネル２０は、二つのアルミニウムシートの間にハニカム構造が形成されるようにすることによって、軽量で、且つ高い強度を有するようになる。このような中間パネル２０は、後述するブラケット５０によってディスプレイパネル１０の後面に密着される。中間パネル２０の後方には、印刷回路基板４１，４２，４３が配置される。印刷回路基板４１，４２，４３は、ディスプレイパネル１０に伝達される映像信号を生成するメイン基板４１と、外部電源とディスプレイ装置１とを接続する電源基板４２と、メイン基板４１で生成された映像信号をフレキシブル回路基板１１を介してディスプレイパネル１０に伝達するソース印刷回路基板４３と、を含む。本実施例において、印刷回路基板４１，４２，４３のうちメイン基板４１及び電源基板４２は、メイン基板４１及び電源基板４２が装着されるホルダー４０を通じて中間パネル２０の後面中央側に配置され、ソース印刷回路基板４３は、左右に長く形成されて、中間パネル２０の下部後方側に左右に長く配置されている。
【００２０】
また、中間パネル２０の後方には、印刷回路基板４１，４２，４３で発生した熱を速く分散させて、より効率的に放熱できるようにするための複数のヒートスプレッダ３０が配置される。ヒートスプレッダ３０は、一定の幅で長く延びた板状に形成され、内部には、図２に示したように、内部に注入された作動流体３１の移動を案内できるようにチャネル３２が設けられる。チャネル３２は、ヒートスプレッダ３０の長手方向に延びており、複数個がヒートスプレッダ３０の幅方向に並設される。また、各チャネル３２の壁には、作動流体３１の移動を容易に行うことができるように、ヒートスプレッダ３０の長手方向に延びた複数の突起３２ａが設けられる。また、ヒートスプレッダ３０は、アルミニウム材質で形成され、作動流体３１としては、容易に液体から気体に相変化がなされ、且つアルミニウムを酸化させない物質であるアセトンが使用される。
【００２１】
このようなヒートスプレッダ３０は、その第１端が相対的に高温な位置に設置され、第１端と反対側に位置した第２端が相対的に低温な位置に設置されて、高温の位置に設置された第１端を通じて熱を吸収して、低温の位置に位置した第２端側に案内して熱が分散されるようにする。また、ヒートスプレッダ３０のチャネル３２の内部で作動流体３１の循環をより速く行うことができるように、第２端を、第１端より相対的に高い位置に配置することが好ましい。ヒートスプレッダ３０は、図３に示すように、中間パネル２０の後方側に配置された印刷回路基板４１，４２，４３で発生した熱を分散させることができるように複数備えられて、中間パネル２０の後面に配置される。
【００２２】
上述したように、印刷回路基板４１，４２，４３のうちメイン基板４１及び電源基板４２は、ホルダー４０を通じて中間パネル２０の後面中央側に設置されているので、複数のヒートスプレッダ３０は、左右方向に長く配置され、中間パネル２０の後面に上下方向に離隔配置される。
【００２３】
複数のヒートスプレッダ３０のうち一部は、その第１端が、ホルダー４０が配置された中間パネル２０の後面中央側に配置され、その第２端が、中間パネル２０の後面右側に配置される。また、複数のヒートスプレッダ３０の残りの一部は、第１端が、ホルダー４０が配置された中間パネル２０の後面中央側に配置され、第２端が、中間パネル２０の後面左側に配置される。したがって、メイン基板４１及び電源基板４２で発生した熱は、ホルダー４０に伝達され、ホルダー４０でヒートスプレッダ３０を介して中間パネル２０の中央側から両側方に分散される。本実施例において、ヒートスプレッダ３０の第１端は、中間パネルとホルダー４０との間に配置される。また、作動流体３１の循環を速く行うことができるように、ヒートスプレッダ３０は、ホルダー４０と離隔した第２端が、ホルダー４０側に配置された第１端より高い位置に配置されるように、傾斜して配置される。
【００２４】
上記のようにヒートスプレッダ３０を設置すると、第１端の内部に位置した液体状態の作動流体３１はホルダー４０側から熱を吸収して蒸発し、蒸発した作動流体３１は、密度の差によってチャネル３２に沿って上側に位置した第２端側へ移動する。第２端側へ移動した気体状態の作動流体３１は、第２端側へ移動する過程及び第２端側に到達した後、熱を奪われて再び液体に凝縮され、自重によって相対的に低い位置に位置した第１端側へ再び移動する。したがって、作動流体３１の循環が速く行われ、それによって、ヒートスプレッダ３０による熱の分散は、速い速度で進行する。
【００２５】
また、ヒートスプレッダ３０のうち一つのヒートスプレッダ３０’は、中間パネル２０の下部に配置されているソース印刷回路基板４３で発生した熱を分散させるために使用される。上述したように、ソース印刷回路基板４３は、中間パネル２０の下部後方側に左右に長く配置されているので、ヒートスプレッダ３０’を、ソース印刷回路基板４３と対応するように左右に長く配置し、中間パネル２０とソース印刷回路基板４３との間に配置して、ソース印刷回路基板４３で発生した熱を分散する。
【００２６】
ディスプレイパネル１０とリアカバー７０との間には、図１に示したように、中間パネル２０の前面がディスプレイパネル１０の後面に密着するようにするブラケット５０が設けられる。ブラケット５０は、両面テープまたは接着剤などの接着手段を通じてディスプレイパネル１０及び中間パネル２０に付着される。ブラケット５０は、図４に示したように、ディスプレイパネル１０に付着される第１結合部５１と、中間パネル２０に付着される第２結合部５２と、を含む。
【００２７】
第１結合部５１は、中間パネル２０の側面外側においてディスプレイパネル１０に付着されて、ディスプレイパネル１０の縁の強度を補強する。また、第１結合部５１は、ディスプレイパネル１０の縁を保護するために、ディスプレイパネル１０の縁と同一であったり、ディスプレイパネル１０の縁よりも外郭に突出するように設けられる。
【００２８】
第２結合部５２は、中間パネル２０とリアカバー７０との間に配置されて、中間パネル２０の後面に付着され、中間パネル２０をディスプレイパネル１０側に加圧して、中間パネル２０がディスプレイパネル１０に密着するようにすることで、中間パネル２０がディスプレイパネル１０を安定的に支持できるようにする。
【００２９】
また、ディスプレイ装置１は、ディスプレイ装置１の側面縁部を形成するサイドカバー６０を含む。サイドカバー６０は、ディスプレイパネル１０からリアカバー７０までの構成要素の側面外側に配置され、ディスプレイ装置１の外観を形成する枠部６１と、枠部６１から内側に延びて、ブラケット５０の後面を支持する支持部６２と、を含む。
【００３０】
本実施例において、ソース印刷回路基板４３で発生した熱を分散させるためのヒートスプレッダ３０は、左右に長く配置されているが、これに限定されるものではなく、図５に示すように、上下に長く配置された複数のヒートスプレッダ３０が、左右方向に互いに離隔配置されるようにし、下端である第１端が、中間パネル２０とソース印刷回路基板４３との間に配置されるようにして、ソース印刷回路基板４３で発生した熱を分散させることも可能である。このような実施例において、中間パネル２０には、信号伝達のための信号伝達基板４４が、放熱シート８０を通じて後面中央側に配置される。
【００３１】
本実施例において、ソース印刷回路基板４３は、中間パネル２０の下部後方側に配置されているが、これに限定されるものではなく、ディスプレイ装置によっては中間パネル２０の上部後方側に配置してもよい。このようにソース印刷回路基板４３が配置された場合にも、同一の方式でヒートスプレッダ３０を設置して、ヒートスプレッダ３０を通じて、ソース印刷回路基板４３で発生した熱を分散させることができる。
【００３２】
本発明は、上記に記載された実施例に限定されるものではなく、本発明の思想から逸脱しない範囲で多様に修正及び変形可能であるということは、この技術の分野における通常の知識を有する者にとって自明である。したがって、修正例または変形例は本発明の特許請求の範囲に属するものと解さねばならない。
【符号の説明】
【００３３】
１    ディスプレイ装置
１０  ディスプレイパネル
２０  中間パネル
３０  ヒートスプレッダ
４０  ホルダー
４１，４２，４３  印刷回路基板
５０  ブラケット
６０  サイドカバー
７０  リアカバー
８０  放熱シート
【図１】
2014032387.tif 000003
【図２】
2014032387.tif 000004
【図３】
2014032387.tif 000005
【図４】
2014032387.tif 000006
【図５】
2014032387.tif 000007